(57)【要約】【課題】接触式インタフェース、非接触式インタフェースを介した駆動切り替え時の電源の瞬断やクロック信号の歯抜け等による誤作動の発生を防止し信頼性を向上させ、さらに消費電力を抑制できる近接通信用パッシブモジュールとして機能する近接通信用データ処理装置を提供する。【解決手段】有線インタフェース回路３の接続端子が有線機器へ接続されたか否かを判定回路２３により検出することで非接触単独モードと非接触・接触共用モードの設定、切り替えを行い、前記各モードと、無線インタフェース回路２、有線インタフェース回路３およびコントロール部４の各回路ブロックとに応じて、電源をＲＦ電源と外部電源から選択し、またクロックをＲＦクロックと外部クロックから選択し、電源とクロックの供給を制御する。【選択図】図２
2007206788.tif 000002
【特許請求の範囲】
【請求項１】
データの処理を行うデータ処理回路と、無線機器と前記データ処理回路との間のデータの受け渡しを行う無線インタフェース回路と、有線機器と前記データ処理回路との間のデータの受け渡しを行う有線インタフェース回路とを備え、アンテナを介して前記無線インタフェース回路により無線機器との間で前記データを送受信し、前記有線インタフェース回路を介して有線機器との間で前記データを送受信可能な近接通信用パッシブモジュールとして機能する近接通信用データ処理装置において、
前記有線機器の前記有線インタフェース回路への接続を検出する検出回路と、
前記データ処理回路、前記無線インタフェース回路および前記有線インタフェース回路の各回路ブロックに対する、前記アンテナを介して受信したＲＦ信号に基づいて生成した第１の電源、または、前記有線インタフェース回路へ接続された前記有線機器からの第２の電源の供給を、前記検出回路による検出結果と前記各回路ブロックとに応じて制御する電源制御回路と、
前記データ処理回路、前記無線インタフェース回路および前記有線インタフェース回路の各回路ブロックに対する、前記アンテナを介して受信された前記ＲＦ信号に基づいて生成した第１のクロック信号、または、前記有線インタフェース回路へ接続された前記有線機器からの第２のクロック信号の供給を、前記検出回路による検出結果と前記各回路ブロックとに応じて制御するクロック制御回路と、
を備えたことを特徴とする近接通信用データ処理装置。
【請求項２】
前記電源制御回路は、前記検出回路により前記有線機器の前記有線インタフェース回路への接続が検出されたとき、前記第２の電源を前記データ処理回路および前記有線インタフェース回路に供給するととともに、前記第１の電源を前記無線インタフェース回路に供給し、前記検出回路により前記有線機器の前記有線インタフェース回路への接続が検出されないとき、前記第１の電源を前記データ処理回路および前記無線インタフェース回路に供給し、
前記クロック制御回路は、前記検出回路により前記有線機器の前記有線インタフェース回路への接続が検出されたとき、前記第２のクロック信号を前記データ処理回路および前記有線インタフェース回路に供給するとともに、前記第１のクロック信号を前記無線インタフェース回路に供給し、前記検出回路により前記有線機器の前記有線インタフェース回路への接続が検出されないとき、前記第１のクロック信号を前記データ処理回路および前記無線インタフェース回路に供給することを特徴とする請求項１記載の近接通信用データ処理装置。
【請求項３】
前記クロック制御回路は、前記検出回路により前記有線機器の前記有線インタフェース回路への接続が検出されないとき、前記有線インタフェース回路に対する前記第１のクロック信号の供給を停止することを特徴とする請求項２記載の近接通信用データ処理装置。
【請求項４】
前記検出回路は、前記有線インタフェース回路の接続端子への前記有線機器の接続を監視し、前記有線機器の前記有線インタフェース回路への接続を検出することを特徴とする請求項１記載の近接通信用データ処理装置。
【請求項５】
前記検出回路は、前記有線機器から供給される第２の電源を監視して前記有線機器の前記有線インタフェース回路への接続を検出することを特徴とする請求項１記載の近接通信用データ処理装置。
【請求項６】
前記データ処理回路は、前記無線インタフェース回路を介して無線機器から要求されるデータ処理のための第１の割り込み要求を記憶する第１のレジスタと、前記有線インタフェース回路を介して有線機器から要求されるデータ処理のための第２の割り込み要求を記憶する第２のレジスタとを有し、前記第１の割り込み要求または前記第２の割り込み要求に係る割り込み処理を実行中に発生した、前記第２の割り込み要求または前記第１の割り込み要求に対し、先に受け付けた割り込み処理終了後、前記第２のレジスタまたは前記第１のレジスタを参照することで、前記第２のレジスタまたは前記第１のレジスタに記憶されている割り込み要求に係る割り込み処理を実行することを特徴とする請求項１記載の近接通信用データ処理装置。
【発明の詳細な説明】
【技術分野】
【０００１】
本発明は、非接触式および接触式のインタフェースを有するバッテリレス型の近接通信用パッシブモジュールとして機能する近接通信用データ処理装置に関する。
【背景技術】
【０００２】
従来、非接触式および接触式のインタフェースを有するバッテリレス型のＩＣカードが知られている。バッテリレス型ＩＣカードでは、無線通信のときには、無線カードリーダ・ライタから受信したＲＦ（Ｒａｄｉｏ−Ｆｒｅｑｅｎｃｙ）信号から電源およびクロック信号を取り出し、各部が駆動されおり、有線通信のときには、接続された有線機器から供給される電源およびクロック信号により各部が駆動されていた。
このようなバッテリレス型ＩＣカードでは、無線通信中に有線機器が接続された場合や、有線通信中に無線カードリーダ・ライタが近接した場合、有線および無線のどちらの電源およびクロック信号を用いるのかが決められていない場合が多く、内部のデータ処理回路、例えばＣＰＵ、メモリが誤作動してしまうといった問題があった。
このような問題を解決するため、ＩＣカードが接触式インタフェースを介して駆動されているときには、スイッチにより非接触式インタフェースの動作を禁止状態にし、ＩＣカードが非接触式インタフェースを介して駆動されているときには、スイッチにより接触式インタフェースの動作を禁止状態にするものが提案されている（特許文献１参照）。
【特許文献１】特開平１１−２７２８２２号公報
【発明の開示】
【発明が解決しようとする課題】
【０００３】
しかしながら、上記のような従来のＩＣカードでは、接触式インタフェースと非接触式インタフェースの駆動の切り替えが頻繁になると、電源やクロック信号の切り替えも頻繁になるため、電源の瞬断やクロック信号の歯抜け等による誤作動が発生する可能性があった。
本発明は、このような事情に鑑みなされたものであり、その目的は、接触式インタフェース、非接触式インタフェースを介した駆動切り替え時の電源の瞬断やクロック信号の歯抜け等による誤作動の発生を防止し信頼性を向上させ、さらに消費電力を抑制できる近接通信用パッシブモジュールとして機能する近接通信用データ処理装置を提供することにある。
【課題を解決するための手段】
【０００４】
上記目的を達成するため、本発明の近接通信用データ処理装置は、データの処理を行うデータ処理回路と、無線機器と前記データ処理回路との間のデータの受け渡しを行う無線インタフェース回路と、有線機器と前記データ処理回路との間のデータの受け渡しを行う有線インタフェース回路とを備え、アンテナを介して前記無線インタフェース回路により無線機器との間で前記データを送受信し、前記有線インタフェース回路を介して有線機器との間で前記データを送受信可能な近接通信用パッシブモジュールとして機能する近接通信用データ処理装置において、前記有線機器の前記有線インタフェース回路への接続を検出する検出回路と、前記データ処理回路、前記無線インタフェース回路および前記有線インタフェース回路の各回路ブロックに対する、前記アンテナを介して受信したＲＦ信号に基づいて生成した第１の電源、または、前記有線インタフェース回路へ接続された前記有線機器からの第２の電源の供給を、前記検出回路による検出結果と前記各回路ブロックとに応じて制御する電源制御回路と、前記データ処理回路、前記無線インタフェース回路および前記有線インタフェース回路の各回路ブロックに対する、前記アンテナを介して受信した前記ＲＦ信号に基づいて生成した第１のクロック信号、または、前記有線インタフェース回路へ接続された前記有線機器からの第２のクロック信号の供給を、前記検出回路による検出結果と前記各回路ブロックとに応じて制御するクロック制御回路とを備えたことを特徴とする。
【発明の効果】
【０００５】
本発明の近接通信用データ処理装置によれば、データ処理回路、無線インタフェース回路および有線インタフェース回路の各回路ブロックに対する、アンテナを介して受信されたＲＦ信号に基づいて生成された第１の電源、または、有線インタフェース回路へ接続された有線機器からの第２の電源の供給を、電源制御回路が、有線機器の前記有線インタフェース回路への接続を検出する検出回路による検出結果と前記各回路ブロックとに応じて制御する。
【０００６】
また、前記データ処理回路、前記無線インタフェース回路および前記有線インタフェース回路の各回路ブロックに対する、前記アンテナを介して受信された前記ＲＦ信号に基づいて生成された第１のクロック信号、または、前記有線インタフェース回路へ接続された前記有線機器からの第２のクロック信号の供給を、クロック制御回路が、前記検出回路による検出結果と前記各回路ブロックとに応じて制御する。
【０００７】
このため、外部機器や無線機器のデータ処理要求ではなく、有線機器へ接続されているかいないかにより、この近接通信用データ処理装置を構成する各部に応じて電源およびクロック信号が選択され供給されるので、接触式インタフェースを介した駆動と非接触式インタフェースを介した駆動の切り替え時の電源の瞬断やクロック信号の歯抜け等による誤作動を防止することができる。したがって、信頼性の高ＩＣタグを提供することができる。また、不要な回路に電源、クロック信号を供給しないように前記電源やクロック信号の供給を制御できるので、ＩＣタグの消費電力を低減する上で有利となる。
【発明を実施するための最良の形態】
【０００８】
（第１の実施の形態）
以下、本発明の近接通信用パッシブモジュールとして機能する近接通信用データ処理装置（以下、ＩＣタグという）の第１の実施の形態について図面を参照して説明する。
図１は、第１の実施の形態のＩＣタグ１００の構成を示すブロック図である。
図１に示すように、ＩＣタグ１００は、ＲＦ（Ｒａｄｉｏ−Ｆｒｅｑｅｎｃｙ）部１と、無線インタフェース回路２と、有線インタフェース回路３と、コントロール部４と、パワー・クロック制御部５とを含んで構成されている。
さらに、ＩＣタグ１００は、無線インタフェース回路２を介してのみ駆動する非接触単独モードと、無線インタフェース回路２および有線インタフェース回路３の両方を介して駆動する非接触・接触共用モードと有している。
非接触単独モードは、無線インタフェース回路２のみを介してデータの授受が行われるときのモードである。非接触・接触共用モードは、前記無線インタフェース回路２と有線インタフェース回路３の両方を介してデータの授受が行われるときのモードである。
【０００９】
ＲＦ部１は、アンテナとＡＳＫ（Ａｍｐｌｉｔｕｄｅ−Ｓｈｉｆｔ  Ｋｅｙｉｎｇ）変復調回路とを備えている。さらにＲＦ部１は、前記アンテナにより受信した無線周波数信号から、ＲＦ電源とＲＦクロックとを生成するＲＦ電源・クロック生成部９を備えている。
【００１０】
無線インタフェース回路２は、ビットクロックを生成し、エラー検出やパリティ生成などを行うエラー検出・パリティ生成部１１と、ディジタル変復調などのディジタル信号処理を行うディジタル変復調部１２と、コントロール部４との間でシステムバスを介して各種データの授受を行うバスインタフェース部１３とを備えている。
【００１１】
有線インタフェース回路３は、図示していない有線機器へ接続し、前記有線機器との間で各種データの授受を行うものであり、ＵＡＲＴ（Ｕｎｉｖｅｒｓａｌ  Ａｓｙｎｃｈｒｏｎｏｕｓ  Ｒｅｃｅｉｖｅｒ−Ｔｒａｎｓｍｉｔｔｅｒ）１４、１２Ｃ１５およびシリアルインタフェース１６を備え、各種インタフェース規格に対応できるように構成されている。
【００１２】
コントロール部４は、ＣＰＵ、ＲＯＭ、ＲＡＭなどにより構成されるマイクロコンピュータを備えている。
マイクロコンピュータのＣＰＵはステータスレジスタを備えており、このステータスレジスタには、有線インタフェース回路３を介したデータの入出力に起因する内部メモリアクセスが発生したときの、前記ＣＰＵに対するリード／ライト割込み要求による割り込みフラグが設定される第１の割り込みフラグレジスタ１７と、無線インタフェース回路２を介したデータの入出力に起因する内部メモリアクセスが発生したときの、前記ＣＰＵに対するリード／ライト割込み要求による割り込みフラグが設定される第２の割り込みフラグレジスタ１８とが設けられている。
【００１３】
パワー・クロック制御部５は、電源制御回路２１とクロック制御回路２２と判定回路（検出回路）２３とを備えている。
電源制御回路２１は、前記非接触単独モードと前記非接触・接触共用モードの各モードと、前記無線インタフェース回路２、前記有線インタフェース回路３および前記コントロール部４の各回路ブロックとに応じて、前記ＲＦ電源・クロック生成部９が生成した前記ＲＦ電源、図示していない有線機器から供給された外部電源のいずれか一方を選択し供給するものである。
このため、前記ＲＦ電源または前記外部電源のいずれか一方を選択し、前記無線インタフェース回路２、前記有線インタフェース回路３および前記コントロール部４の各回路ブロックへ電源として供給するための切り替えスイッチを備えている。
【００１４】
クロック制御回路２２は、前記非接触単独モードと前記非接触・接触共用モードの各モードと、前記無線インタフェース回路２、前記有線インタフェース回路３および前記コントロール部４の各回路ブロックとに応じて、前記ＲＦ電源・クロック生成部９が生成した前記ＲＦクロック、前記有線機器から供給された外部クロックのいずれか一方を選択し、前記無線インタフェース回路２、前記有線インタフェース回路３および前記コントロール部４の各回路ブロックのクロック信号として供給するための切り替えスイッチを備えている。
【００１５】
判定回路２３は、有線インタフェース回路３の接続端子が前記有線機器へ接続されたか否かを検出することでモードの設定、切り替えを行う。
このモードの設定、切り替えでは、有線インタフェース回路３の接続端子が有線機器へ接続されていると、非接触・接触共用モードへ切り替えられることになる。
また、有線インタフェース回路３の接続端子が有線機器へ接続されていない状態では、非接触単独モードへ切り替えられることになる。
そして、非接触単独モードまたは非接触・接触共用モードに応じて、電源制御回路２１とクロック制御回路２２の各切り替えスイッチを制御し、前記各回路ブロックへの電源とクロックの選択と供給を制御する。
あるいは、有線インタフェース回路３に前記有線機器が接続され、前記有線機器から供給される外部電源を検出したかしないかに応じてモード切り替えを行う。このモード切り替えでは、外部電源を検出すると、非接触・接触共用モードへ切り替えられることになる。また、前記外部電源を検出しない場合には、非接触単独モードへ切り替えられることになる。
【００１６】
図３（ａ）は、非接触単独モードおよび非接触・接触共用モードの各モードと前記各回路ブロックとに応じて、クロック制御回路２２により選択されるクロック信号を示す説明図である。
クロック制御回路２２は、図３（ａ）に示す内容に従って前記各回路ブロックに対するクロック信号の選択と供給とを制御する。
【００１７】
図３（ｂ）は、非接触単独モードおよび非接触・接触共用モードの各モードと前記各回路ブロックとに応じて、電源制御回路２１により選択される電源を示す説明図である。
電源制御回路２１は、図３（ｂ）に示す内容に従って前記各回路ブロックに対する電源の選択と供給とを制御する。
【００１８】
図２は、図１に示したＲＦ部１におけるＲＦ電源・クロック生成部９と、パワー・クロック制御部５における電源制御回路２１、クロック制御回路２２および判定回路２３の構成の一例を示すブロック図である。
図２に示すように、ＲＦ電源・クロック生成部９は、図示していない無線機器が電磁波を媒介として送信したＲＦ信号をアンテナを介して受信し、このアンテナ入力を高周波整流回路３１により整流しＲＦ電源を生成している。
この高周波整流回路３１により整流し生成したＲＦ電源の電圧レベルは、例えば３．３Ｖを超えないように過電圧保護回路３２により規制されている。
パワー・クロック制御部５における電源制御回路２１には前記ＲＦ電源と有線インタフェース回路３を介して接続された前記有線機器から与えられる、電圧レベルが例えば３．３ボルトの外部電源が供給される。
電源制御回路２１は、前記ＲＦ電源または前記外部電源について、前記無線インタフェース回路２、前記有線インタフェース回路３および前記コントロール部４への供給と選択を、判定回路２３により設定された非接触単独モードまたは非接触・接触共用モードと、前記各回路ブロックとに応じて、前記切り替えスイッチにより制御する。
【００１９】
ＲＦ電源・クロック生成部９はクロック抽出回路３３を備えている。
このクロック抽出回路３３により前記アンテナを介して受信したＲＦ信号からＲＦクロックを抽出する。パワー・クロック制御部５のクロック制御回路２２には、前記ＲＦクロックと、有線インタフェース回路３へ接続された前記有線機器からの外部クロックとが供給されている。
クロック制御回路２２は、前記ＲＦクロックまたは前記外部クロックについて、前記無線インタフェース回路２、前記有線インタフェース回路３および前記コントロール部４への供給と選択を、判定回路２３により設定された非接触単独モードまたは非接触・接触共用モードと、前記各回路ブロックとに応じて、前記切り替えスイッチにより制御する。
【００２０】
次に動作について説明する。
この第１の実施の形態のＩＣタグ１００の動作状態としては、非接触単独モードである無線インタフェース回路２のみにより駆動可能な状況に対応する場合と、非接触・接触共用モードである無線インタフェース回路２および有線インタフェース回路３の両方により駆動可能な状況に対応する場合とが想定される。
したがって、ＩＣタグ１００においては、無線インタフェース回路２のみにより駆動される状況では、ＲＦ部１が動作し、ＲＦ電源・クロック生成部９で生成したＲＦ電源およびＲＦクロックを、パワー・クロック制御部５を介して無線インタフェース回路２とコントロール部４とへ供給する。
また、有線インタフェース回路３により駆動される状況では、パワー・クロック制御部５を介して外部電源および外部クロックが有線インタフェース回路３とコントロール部４とへ供給される。
したがって、このＩＣタグ１００では、非接触単独モードと非接触・接触共用モードの２種類のモードに対応するため、コントロール部４においてのみ電源とクロックの切り替えが必要である。
第１の実施の形態では、図３（ａ）、（ｂ）に示すように、前記非接触単独モードと前記非接触・接触共用モードの各モードと、無線インタフェース回路２、有線インタフェース回路３およびコントロール部４の各回路ブロックとに応じて、電源をＲＦ電源と外部電源から選択し、またクロックをＲＦクロックと外部クロックから選択し、電源とクロックの供給を制御する。
図３（ａ）に示すように、非接触単独モードの場合には有線インタフェース回路３は不要であるため、クロックの供給を停止することで不要な消費電力を抑制するようにしている。
【００２１】
図４は、携帯型の録音再生装置にこの第１の実施の形態のＩＣタグ１００が用いられたときの動作の一例を示すシーケンス図である。
図４は、携帯型の録音再生装置により音楽コンテンツを再生し聴きながら帰宅し、今まで携帯型の録音再生装置により再生して聴いていた音楽コンテンツを、室内にある据置き型のステレオ録音再生装置から再生するときの動作例を示している。
この例では、据置き型のステレオ録音再生装置の内部には、この第１の実施の形態で説明したＩＣタグとＢｌｕｅｔｏｏｔｈ通信用ディバイスの両方が備えられている。
また携帯型の録音再生装置においてもこの第１の実施の形態で説明したＩＣタグとＢｌｕｅｔｏｏｔｈ通信用ディバイスの両方が備えられている。
さらにこの携帯型の録音再生装置には内部システムコントロール用のマイクロコンピュータがホストとして装備されている。
【００２２】
以下、図４に示すシーケンス図を参照して動作について説明する。
まず、携帯型の録音再生装置のＩＣタグが、その携帯型の録音再生装置の前記ホストから携帯型の録音再生装置のＢｌｕｅｔｏｏｔｈ通信用ディバイスのアドレスをタグ内のメモリへ書き込む（ステップＳ１）。
携帯型の録音再生装置を据置き型のステレオ録音再生装置へ近づけると、据置き型のステレオ録音再生装置のアクティブ側の近接通信用データ処理装置が電波を出しているので、その電波を携帯型の録音再生装置のＩＣタグが受信しレスポンス信号を前記アクティブ側の近接通信用データ処理装置へ返し、この結果、据置き型のステレオ録音再生装置の近接通信用データ処理装置と携帯型の録音再生装置のＩＣタグとの間の近接通信が開始される（ステップＳ２）。
次に、据置き型のステレオ録音再生装置の近接通信用データ処理装置からリードコマンドが携帯型の録音再生装置のＩＣタグへ送られ、携帯型の録音再生装置のＩＣタグの前記メモリに書き込まれている前記Ｂｌｕｅｔｏｏｔｈ通信用ディバイスのアドレスその他を前記据置き型のステレオ録音再生装置が読み込む（ステップＳ３）。
携帯型の録音再生装置のＩＣタグは、前記Ｂｌｕｅｔｏｏｔｈ通信用ディバイスのアドレスその他を前記据置き型のステレオ録音再生装置へ送信した後、その携帯型の録音再生装置の前記ホストに対し割り込みをかけ、前記Ｂｌｕｅｔｏｏｔｈ通信用ディバイスを起動することを促す（ステップＳ４）。
この結果、前記ホストは前記Ｂｌｕｅｔｏｏｔｈ通信用ディバイスを起動させ、据置き型のステレオ録音再生装置のＢｌｕｅｔｏｏｔｈ通信用ディバイスも起動する。
そして、携帯型の録音再生装置の前記Ｂｌｕｅｔｏｏｔｈ通信用ディバイスと据置き型のステレオ録音再生装置のＢｌｕｅｔｏｏｔｈ通信用ディバイスとの間で前記音楽コンテンツの送受信が行われ、今まで携帯型の録音再生装置により再生して聴いていた音楽コンテンツが、室内にある据置き型のステレオ録音再生装置から再生される。
【００２３】
以上説明したように、第１の実施の形態によれば、非接触単独モードと非接触・接触共用モードの各モードと、無線インタフェース回路２、有線インタフェース回路３およびコントロール部４の各回路ブロックとに応じて、電源をＲＦ電源と外部電源から選択し、またクロックをＲＦクロックと外部クロックから選択し、電源とクロックの供給を制御することができ、外部機器や無線機器のデータ処理要求ではなく、有線機器へ接続されているかいないかにより、この近接通信用データ処理装置を構成する各部に応じて電源およびクロック信号を選択し供給するので、接触式インタフェースを介した駆動と非接触式インタフェースを介した駆動の切り替え時の電源の瞬断やクロック信号の歯抜け等による誤作動を防止でき、信頼性の高いＩＣタグを提供できる。
さらに非接触単独モードの場合には有線インタフェース回路３は不要であるため、クロックの供給を停止できるなど、不要な回路に電源、クロック信号を供給しないように前記電源やクロック信号の供給を制御できるので、不要な消費電力を抑制し消費電力を低減する上で有利となる。
【００２４】
（第２の実施の形態）
次に第２の実施の形態について説明する。
第２の実施の形態のＩＣタグでは、コントロール部４のＣＰＵのステータスレジスタに設けられた第１の割り込みフラグレジスタ１７と第２の割り込みフラグレジスタ１８とを使用することで、有線インタフェース回路３を介して発生したメモリアクセスと無線インタフェース回路２を介して発生したメモリアクセスとが同時に発生した場合に対し、同等のアクセス権を与えるようにしている。
以下、第２の実施の形態のＩＣタグについて説明する。
第２の実施の形態のＩＣタグでは、アクティブ側の近接通信用データ処理装置からＲＦ信号を受信すると、ＲＦ部１ではアンテナにより受信したＲＦ信号をＡＳＫ復調すると共に、クロック抽出を行い、復調されたデータと同期クロックを無線インタフェース回路２へ出力する。
無線インタフェース回路２では、前記同期クロックとデータとからビット境界を検出し、ビットクロック生成とディジタル復調を行い、エラー検出を行い、前記データをコントロール部４のリード／ライトレジスタへ書き込み、ＣＰＵに対しメモリへのアクセス割り込みを要求する。
有線インタフェース回路３では、ＵＡＲＴなどのインタフェースによりデータを受信し、前記コントロール部４のリード／ライトレジスタへ書き込み、ＣＰＵに対しメモリへのアクセス割り込みを要求する。
コントロール部４の前記ステータスレジスタには第１の割り込みステータスレジスタ１７と第２の割り込みステータスレジスタ１８とが設けられており、各割り込み要因を特定できるようになっており、無線インタフェース回路２からのメモリアクセス要求はリクエスト発生と同時に第１の割り込みステータスレジスタ１７へ割り込み元が書き込まれ、また有線インタフェース回路３からのメモリアクセス要求も、リクエスト発生と同時に第２の割り込みステータスレジスタ１８へ割り込み元が書き込まれる。
コントロール部４のＣＰＵは、先に受け付けた割り込みからメモリのリード／ライトについての処理を実行するが、一方の処理中に割り込みが入った場合には、先に受け付けた割り込み処理を終了後、他方の割り込みステータスレジスタを参照し登録されていれば、その割り込みについて処理を行う。なお、ＣＰＵへの割り込みトリガは常に入れておいても良い。
ＣＰＵは、これら第１の割り込みステータスレジスタ１７と第２の割り込みステータスレジスタ１８とを割り込み受け付け時、常時監視し、割り込みの受け付け漏れを防ぎ、前記メモリのアクセスについて排他的な処理が行われないようにしている。
【００２５】
以上説明したように、第２の実施の形態によれば、有線インタフェース回路３を介して発生したメモリアクセスと無線インタフェース回路２を介して発生したメモリアクセスとが同時に発生した場合に対し、同等のアクセス権を与えることができる効果がある。
【図面の簡単な説明】
【００２６】
【図１】本発明の第１の実施の形態のＩＣタグの構成を示すブロック図である。
【図２】本発明の第１の実施の形態のＩＣタグのＲＦ部におけるＲＦ電源・クロック生成部と、パワー・クロック制御部における電源制御回路、クロック制御回路および判定回路の構成の一例を示すブロック図である。
【図３】非接触単独モードおよび非接触・接触共用モードの各モードと各回路ブロックとに応じて選択され供給が制御される電源およびクロック信号を示す説明図である。
【図４】携帯型の録音再生装置にこの第１の実施の形態のＩＣタグが用いられたときの動作の一例を示すシーケンス図である。
【符号の説明】
【００２７】
２……無線インタフェース回路、３……有線インタフェース回路、４……データ処理回路、１７……第１の割り込みステータスレジスタ（第１のレジスタ）、１８……第２の割り込みステータスレジスタ（第２のレジスタ）、２１……電源制御回路、２２……クロック制御回路、２３……判定回路（検出回路）、１００……ＩＣタグ。
【図１】
2007206788.tif 000003
【図２】
2007206788.tif 000004
【図３】
2007206788.tif 000005
【図４】
2007206788.tif 000006